(57)【特許請求の範囲】
【請求項１】
天板下にパソコンの収容部を備えたパソコン収納机であって、
前記天板には、収容部を上方に開放する開口が開設されるとともに、該開口には蓋部が装着され、
かつ、蓋部を開口の一辺縁部に対して垂直回転自在に連結して開口の開放状態でパソコンから起立する蓋体に重なる開口周りの位置に配置させ、起立状態の蓋体に重なる蓋部から資料立てを蓋体の両側方に展開可能に、かつ、展開された状態において資料立てを蓋部に対して回転自在に球状のヒンジ突部を介して連結されるパソコン収納机。
【請求項２】
請求項１記載のパソコン収納机であって、
更に、前記天板下に形成され、底壁が上下移動自在なパソコンの収容部と、
前記天板に回転自在に連結され、該天板に開設されて前記収容部を上方に開放する開口を閉塞可能な蓋部と、
該蓋部の回転操作により前記収容部の底壁を上下に駆動するリフト手段とを有するパソコン収納机。
【発明の詳細な説明】
【０００１】
【発明の属する技術分野】
本発明はパソコン収納机に関するものである。
【０００２】
【従来の技術】
従来、パーソナルコンピュータ（パソコン）を使用することを前提とした机としては、天板上の空間に、例えば、プリンタ等を載置する支持台を設けたもの等、種々のものが提案されている。
【０００３】
しかし、いずれの机においてもノート型パソコンのように比較的小型のパソコンを使用する際には、天板上に載置する必要があり、不使用時には、再度配線を行わなければならないために、そのまま天板上に放置されることが多くなり、天板上のスペースを有効に利用できないという欠点がある。
【０００４】
また、限られた天板上の限られたスペースに資料等を置いてパソコンへの入力を行う作業は、作業効率の低下の原因となっている。
【０００５】
【発明解決しようとする課題】
本発明は、以上の欠点を解消すべくなされたものであって、天板上のスペースを有効に利用できるパソコン収納机の提供を目的とする。また、本発明の他の目的は、パソコンへの入力作業等の作業性を向上させることのできるパソコン収納机の提供にある。
【０００６】
【課題を解決するための手段】
パソコン収納机は、天板１下にパーソナルコンピュータ（（以下、単に「パソコン」という。）の収容が可能な収容部３を備えており、パソコン２は該収容部３に収容された状態で配線される。パソコン２不使用時には、収容部３の開口１ａは蓋部４により閉塞可能であり、通常の天板１として利用できるために、机上のスペースを有効に利用できる。パソコン２使用時には、蓋部４を後方に向けて起立させた後、パソコン２のディスプレイを兼ねる蓋を起立させればよく、再び配線作業等を行う必要がない。
【０００７】
また、蓋部４は側方に展開可能な資料立て５が設けられており、入力作業等の効率化が図られる。
【０００８】
【発明の実施の形態】
図１〜３に示すように、パソコン収納机は、脚部８上端に天板１を固定して形成され、その下方にパソコン２を収容できる程度の収容部３が形成される。また、天板１中央には開口１ａが開設され、上記収容部３を上方に開放し、さらに、収容部３の最奥部壁面には、ケーブル挿通開口３ａが設けられる。
【０００９】
上記開口１ａは図外のヒンジにより垂直回転自在に連結される蓋部４により閉塞可能であり、閉塞状態において蓋部４表面と他の天板１上面とが同一面に保持され、天板１全面を作業面として利用できる。
【００１０】
この蓋部４は、図２に示すように、両側方に開放された中空矩形筒形状をなし、対向内壁に形成されたレール溝４ａに移動ピース９が摺動自在に装着される。移動ピース９は、上記レール溝４ａに嵌合するスライド基部９ａから外方に向けて球状のヒンジ突部９ｂを突設させて形成され、レール溝４ａから内方に突出するストッパ壁４ｂによりレール溝４ａからの脱落が防止される。
【００１１】
５は上記蓋部４の中空部内に嵌合可能な矩形断面形状を有する資料立てであり、一側縁中心に移動ピース９のヒンジ突部９ｂを嵌合させて該移動ピース９に連結される。この資料立て５は、図２（ｂ）に示すように、蓋部４の幅方向寸法のほぼ半分の幅方向寸法を有し、横方向に２枚並べた姿勢で蓋部４内に収容される。
【００１２】
したがってこの実施の形態において、パソコン２を使用しないときには、図２に示すように、収容部３内にパソコン２を収容した状態で蓋部４を閉塞しておくと、机上面全体が同一面となるために、机上のスペースを有効に利用することができる。この状態からパソコン２を使用する場合には、まず、蓋部４を図１（ａ）に示すように、後方に回転させて起立させ、次いで、資料立て５を蓋部４から両側方に引き出す。この後、パソコン２のディスプレイ兼用の蓋体２ａを起立させると、該蓋体２ａが蓋部４正面に位置して蓋部４を覆い隠すが、側方に展開された資料立て５に入力用資料等を立てかけておくことができる。資料立て５は、引き出した状態においてヒンジ突部９ｂを中心として自由に回転することができるために、図２（ｃ）に示すように、上下の角度も自由に調整することができる。
【００１３】
なお、以上において、資料立て５は蓋部４の中空部内に引き出し可能に挿入される場合を示したが、これに限られず、例えば、蓋部４裏面に折り畳んで収容することも可能である。
【００１４】
図４に本発明の参考例を示す。なお、以下の参考例の説明において、上述した実施の形態と実質的に同一の構成要素は図中に同一符号を付して説明を省略する。
【００１５】
この参考例において、収容部３の最奥部壁面には、ケーブル挿通開口３ａが開設される。ケーブル挿通開口３ａには、複数の蛇腹体６が上下端移動自在に装着され、側縁に固定された磁石、フック等の連結具（図示せず）を介して蛇腹体６同士を連結することによりケーブル挿通開口３ａを閉塞することができる。
【００１６】
したがってこの参考例において、図４（ｂ）に示すように、蛇腹体６同士を連結させてケーブル挿通開口３ａを完全に閉塞したり、あるいは図４（ｂ）、図５（ａ）に示すように、蛇腹体６の間に隙間を形成し、該隙間にケーブル１０を挿通させることができる。隙間の形成位置は自由に設定できるために、収容部３内に収容したパソコン２のケーブル引き出し位置が異なっていても、蛇腹体６を伸縮させて対応する位置を開口させることができ、使い勝手が向上する。また、ケーブルが長い場合には、図５（ｂ）に示すように、蛇腹体６にケーブルを巻回させてケーブル余長を吸収することができる。
【００１７】
なお、図４においては、収容部３は例えばデスクトップ型パソコン２の本体を収容可能なように形成されているが、上述した実施の形態のように、天板１に蓋部４により閉塞可能な開口１ａを設けてノート型パソコン２を収容したり、あるいは、この蓋部４に上述した実施の形態におけると同様に、資料立て５を連結することができる。
【００１８】
図６〜８に本発明の第２の実施の形態を示す。この実施の形態において、収容部３は上方、および前方に開放しており、収容部３の底壁３ｂの前端には、収容部３の前方開放部を閉塞する前面プレート３ｃが立設される。この底壁３ｂは、上下方向移動自在であり、リフト手段７により昇降駆動することができる。
【００１９】
この実施の形態においてリフト手段７は、クロスリンク７ａ、７ｂと中継リンク７ｃとからなるリンク装置により形成され、机の側壁部に沿って配置される。図６（ｂ）に示すように、中心部において互いに回り対偶で連結されたクロスリンク７ａ、７ｂの一方７ｂは両端において底壁支持プレート７ｄとベース部７ｅに回転、摺動自在に連結されるとともに、固定ヒンジ７ｆを中心に回転自在な他方のクロスヒンジ７ａの一端に中継リンク７ｃが連結され、該中継リンク７ｃの一端が蓋部４に連結される。
【００２０】
図７に示すように、蓋部４を後方に回転させて開口１ａを開放すると、中継リンク７ｃによりクロスリンク７ａが固定ヒンジ７ｆ周りに回動する。このクロスリンク７ａの回転により、一方のクロスリンク７ｂは両端を中央部に摺動させながら回転し、底壁支持プレート７ｄが水平に上方に移動し、該底壁支持プレート７ｄに支承された底壁３ｂを上方に押し上げる。図７（ｂ）に示すように、蓋部４がやや後方に倒れた開放姿勢において底壁３ｂ上のパソコン２は机上に露出し、この状態でパソコン２を使用することができる。
【００２１】
なお、この実施の形態において、蓋部４に上述した資料立て５を装着したり、あるいは収容部３の壁面に蛇腹体６を配置することも可能である。
【００２２】
さらに、図８に示すように、底壁３ｂは収容部３から前方に引き出し可能であり、底壁３ｂとともにパソコン２を退きだした後、図８（ｂ）に示すように、前面プレート３ｃを前方に倒伏することによって、該前面プレート３ｃをパームレストとして利用することができる。
【００２３】
【発明の効果】
以上の説明から明らかなように、本発明によれば、天板上のスペースを有効に利用することができ、かつ、使い勝手も向上させることができる。
【図面の簡単な説明】
【図１】本発明を示す図で、（ａ）は使用状態の斜視説明図、（ｂ）は資料立てを引き出した蓋部を示す図、（ｃ）は資料立てを回転させた状態を示す図である。
【図２】本発明の図１の要部を示す図で、（ａ）は平面図、（ｂ）は（ａ）の２Ｂ-２Ｂ線断面図、（ｃ）は（ｂ）の要部拡大図である。
【図３】蓋部を示す図で、（ａ）は一方の資料立てを引き出した状態の断面図、（ｂ）は（ａ）の３Ｂ-３Ｂ線断面図である。
【図４】本発明の参考例を示す図で、（ａ）は平面図、（ｂ）は（ａ）の側面図、（ｃ）は（ｂ）の４Ｃ方向矢視図である。
【図５】参考例の動作を示す図である。
【図６】本発明の第２の実施の形態を示す図で、（ａ）は側面図、（ｂ）はリンク装置の構成をスケルトン図である。
【図７】図６の動作を示す説明図である。
【図８】底壁を引き出した状態を示す説明図である。
【符号の説明】
１       天板
１ａ     開口
２       パソコン
３       収容部
３ａ     ケーブル挿通開口
３ｂ     底壁
４       蓋部
５       資料立て
６       蛇腹体
７       リフト手段
【図１】
0004255236.tif 000002
【図２】
0004255236.tif 000003
【図３】
0004255236.tif 000004
【図４】
0004255236.tif 000005
【図５】
0004255236.tif 000006
【図６】
0004255236.tif 000007
【図７】
0004255236.tif 000008
【図８】
0004255236.tif 000009